(57)【要約】【課題】  固定電話機、携帯電話機に関わらず、オンライン中は、電話機能として同じであることが望ましい設定内容を、一括して自動的に統一することができ、また、携帯電話機とファクシミリ装置とを、ユーザが個別に操作し、電話機としての設定内容を統一させる手間を省くことができる携帯電話機と記録装置との設定統一装置および携帯電話機と記録装置との設定統一方法を提供することを目的とするものである。【解決手段】  携帯電話機と記録装置との間で送受信が可能であることを検出すると、類似する設定項目について、優先順位の低い装置の設定内容を、上記優先順位の高い装置の設定内容に統一する携帯電話機と記録装置との設定統一装置および設定統一方法である。【選択図】  図１
2006050261.tif 000002
【特許請求の範囲】
【請求項１】
携帯電話機の設定内容と記録装置の設定内容とを統一する装置であって、
上記携帯電話機と上記記録装置との間で、所定の通信方法によってデータを送受信するデータ送受信手段と；
上記データ送受信手段が送受信を実行可能であるか否かを検出する検出手段と；
上記携帯電話機の設定項目と上記記録装置の設定項目とのうちで、互いに類似する設定項目を、互いに関連付けて管理する設定項目管理手段と；
携帯電話機の設定内容と記録装置の設定内容とを統一するための優先順位を管理する優先順位管理手段と；
上記データ送受信手段が送受信を実行可能であることを上記検出手段が検出すると、上記設定項目管理手段が管理している上記類似する設定項目について、上記優先順位管理手段に従って、上記優先順位の低い装置の設定内容を、上記優先順位の高い装置の設定内容に統一する設定内容統一手段と；
を有することを特徴とする携帯電話機と記録装置との設定統一装置。
【請求項２】
請求項１において、
上記携帯電話機の設定内容と上記記録装置の設定内容とを記憶する記憶手段を有し、
上記データ送受信が実行不可能状態であるオフライン状態から、上記データ送受信が実行可能な状態であるオンライン状態に移行したことを、上記検出手段が検出すると、上記設定内容を統一する前に、上記オンライン状態になる直前の設定内容を、上記記憶手段に記憶し、上記オンライン状態から再び上記オフライン状態に移行したことを上記検出手段が検出したら、上記記憶手段が記憶している前回のオフライン状態における設定内容を、携帯電話機と記録装置とに、それぞれ復元させることを特徴とする携帯電話機と記録装置との設定統一装置。
【請求項３】
請求項１において、
上記電話機装置と記録装置とは、
上記設定内容を統一した後に、上記携帯電話機、上記記録装置のいずれかの設定内容が変更されたことを検知する変更検知手段を有し、
上記電話機装置、上記記録装置のいずれかの設定内容が変更されたことを、上記変更検知手段が検知すると、上記設定内容を再度統一することを特徴とする携帯電話機と記録装置との設定統一装置。
【請求項４】
請求項３において、
上記変更検知手段は、
ユーザが手動で任意の設定項目を変更したか、上記携帯電話機または上記記録装置が自動で任意の設定項目を変更したかを判別する判別手段と；
上記優先順位管理手段が管理する優先順位を変更する優先順位変更手段と；
を有し、
ユーザが上記携帯電話機または上記記録装置の任意の設定内容を変更したことを上記判別手段が判別したら、上記優先順位変更手段が、手動で変更された設定項目の設定内容を最優先で変更することを特徴とする携帯電話機と記録装置との設定統一装置。
【請求項５】
請求項４において、
上記優先順位変更手段が変更した優先順位は、オンライン状態でのみ有効である順位であることを特徴とする携帯電話機と記録装置との設定統一装置。
【請求項６】
請求項１において、
上記設定項目は、音を鳴らすか否かを設定する音設定項目、音のレベルを設定する音レベル設定項目、音の種類を設定する音種類設定項目、留守録を有効にするか否かを設定する留守録設定項目、着信相手によって対応を変更する着信設定項目、バックライトを点灯させるか否かを設定するバックライト設定項目のうちの少なくとも１つの設定項目であることを特徴とする携帯電話機と記録装置との設定統一装置。
【請求項７】
請求項１において、
上記設定項目管理手段は、任意の設定項目毎に、設定内容を統一する対象として選択するか否かを決める選択手段を含む手段であることを特徴とする携帯電話機と記録装置との設定統一装置。
【請求項８】
請求項１において、
上記優先順位管理手段は、
上記設定項目毎に、個別に優先順位を選択できる優先順位選択手段を含む手段であることを特徴とする携帯電話機と記録装置との設定統一装置。
【請求項９】
携帯電話機の設定内容と記録装置の設定内容とを統一する方法であって、
上記携帯電話機と上記記録装置との間で、所定の通信方法によってデータを送受信するデータ送受信工程と；
上記データ送受信工程で送受信を実行可能であるか否かを検出する検出工程と；
上記携帯電話機の設定項目と上記記録装置の設定項目とのうちで、互いに類似する設定項目を、互いに関連付けて管理する設定項目管理工程と；
携帯電話機の設定内容と記録装置の設定内容とを統一するための優先順位を管理する優先順位管理工程と；
上記データ送受信工程で送受信を実行可能であることを、上記検出工程で検出すると、上記設定項目管理工程で管理している上記類似する設定項目について、上記優先順位管理工程に従って、上記優先順位の低い装置の設定内容を、上記優先順位の高い装置の設定内容に統一する設定内容統一工程と；
を有することを特徴とする携帯電話機と記録装置との設定統一方法。
【請求項１０】
請求項９において、
上記携帯電話機の設定内容と上記記録装置の設定内容とを記憶する記憶工程を有し、
上記データ送受信が実行不可能状態であるオフライン状態から、上記データ送受信が実行可能な状態であるオンライン状態に移行したことを、上記検出工程で検出されると、上記設定内容を統一する前に、上記オンライン状態になる直前の設定内容を、上記記憶工程で記憶し、上記オンライン状態から再び上記オフライン状態に移行したことを上記検出工程で検出したら、上記記憶工程で記憶している前回のオフライン状態における設定内容を、携帯電話機と記録装置とに、それぞれ復元させることを特徴とする携帯電話機と記録装置との設定統一方法。
【請求項１１】
請求項９において、
上記設定内容を統一した後に、上記携帯電話機、上記記録装置のいずれかの設定内容が変更されたことを検知する変更検知工程を有し、
上記電話機装置、上記記録装置のいずれかの設定内容が変更されたことを、上記変更検知工程で検知されると、上記設定内容を再度統一することを特徴とする携帯電話機と記録装置との設定統一方法。
【請求項１２】
請求項１１において、
上記変更検知工程は、
ユーザが手動で任意の設定項目を変更したか、上記携帯電話機または上記記録装置が自動で任意の設定項目を変更したかを判別する判別工程と；
上記優先順位管理工程で管理される優先順位を変更する優先順位変更工程と；
を有し、
ユーザが上記携帯電話機または上記記録装置の任意の設定内容を変更したことが、上記判別工程で判別されたら、上記優先順位変更工程で、手動で変更された設定項目の設定内容を最優先で変更することを特徴とする携帯電話機と記録装置との設定統一方法。
【請求項１３】
請求項１２において、
上記優先順位変更工程で変更された優先順位は、オンライン状態でのみ有効である順位であることを特徴とする携帯電話機と記録装置との設定統一方法。
【請求項１４】
請求項９において、
上記設定項目は、音を鳴らすか否かを設定する音設定項目、音のレベルを設定する音レベル設定項目、音の種類を設定する音種類設定項目、留守録を有効にするか否かを設定する留守録設定項目、着信相手によって対応を変更する着信設定項目、バックライトを点灯させるか否かを設定するバックライト設定項目のうちの少なくとも１つの設定項目であることを特徴とする携帯電話機と記録装置との設定統一方法。
【請求項１５】
請求項９において、
上記設定項目管理工程は、任意の設定項目毎に、設定内容を統一する対象として選択するか否かを決める選択工程を含む工程であることを特徴とする携帯電話機と記録装置との設定統一方法。
【請求項１６】
請求項９において、
上記優先順位管理工程は、
上記設定項目毎に、個別に優先順位を選択できる優先順位選択工程を含む工程であることを特徴とする携帯電話機と記録装置との設定統一方法。
【請求項１７】
携帯電話機の設定内容と記録装置の設定内容とを統一するシステムであって、
上記携帯電話機と上記記録装置との間で、所定の通信方法によってデータを送受信するデータ送受信手段と；
上記データ送受信手段が送受信を実行可能であるか否かを検出する検出手段と；
上記携帯電話機の設定項目と上記記録装置の設定項目とのうちで、互いに類似する設定項目を、互いに関連付けて管理する設定項目管理手段と；
携帯電話機の設定内容と記録装置の設定内容とを統一するための優先順位を管理する優先順位管理手段と；
上記データ送受信手段が送受信を実行可能であることを上記検出手段が検出すると、上記設定項目管理手段が管理している上記類似する設定項目について、上記優先順位管理手段に従って、上記優先順位の低い装置の設定内容を、上記優先順位の高い装置の設定内容に統一する設定内容統一手段と；
を有することを特徴とする携帯電話機と記録装置との設定統一システム。
【発明の詳細な説明】
【技術分野】
【０００１】
本発明は、携帯電話機と記録装置との設定統一装置および携帯電話機と記録装置との設定統一方法に関する。
【背景技術】
【０００２】
携帯電話機や固定電話機、ファクシミリ装置、ファクシミリ機能を有するＭＦＰ等では、着信音に関する設定や留守録に関する設定のように、様々な環境設定を、ユーザが選択し、設定することができる。この場合、ユーザの状況に応じて最適な設定を、装置側が保つためには、できる限りユーザのキー入力作業を省略し、状況に応じた最適な設定に自動的に切り替えることが望ましい。
【０００３】
たとえば、携帯電話機において、マナーモードのように、単一のキー操作によって、着信音やバイブレーション等の複数の設定を、同時に容易に変更する機能が実現され、たとえば、固定電話機やファクシミリ装置において、オヤスミモードのようにユーザが任意の時刻を設定し、設定された時刻内は、特定の設定内容に、自動的に切り替わる機能等が実現されている。
【０００４】
また、携帯電話機の特殊な状態を判別し、設定内容を自動的に変更する提案もされている（たとえば、特許文献１参照）。たとえば、携帯電話機がマナーモードに設定されている場合、その携帯電話機がクレードルに置かれ、充電中であれば、そのマナーモードが自動的に解除され、自動的にリンガーモードに変更する。
【特許文献１】特開２００１−２８５４１２号公報
【発明の開示】
【発明が解決しようとする課題】
【０００５】
上記従来例においては、携帯電話機または固定電話機単体で、時刻や状況に応じて、自動判別し、設定を変更する。
【０００６】
つまり、個別の装置が、個別のアルゴリズム、ルールに従って設定項目が定められ、相互依存の関係にはなく、たとえば、携帯電話機の状態と、固定電話機またはファクシミリ装置の状態とがリンクされてはいない（類似ではない）。
【０００７】
たとえば、特許文献１記載の発明によれば、携帯電話機を自宅に持ち帰り、充電のためにクレードルに設置したときに、外出先でマナーモードであった設定内容が、リンガーモードになり、設定内容が自動的に切り替わるが、その後、深夜の時刻帯になって、固定電話機がオヤスミモード等によってリンガーＯＦＦモードかつ留守録モードに自動的に切り替わったとしても、携帯電話機の設定内容は、リンガーモードのままである。つまり、たとえばユーザが就寝するために、全ての電話機について、そのリンガーモードを解除することを望む場合、ユーザは、固定電話機と携帯電話機との両方を、別々に操作する必要があり、その操作が煩雑であるという問題がある。
【０００８】
すなわち、自宅の電話機における設定内容は、本来、固定電話機、携帯電話機に関わらず、同じであることが望ましい場合が多いにもかかわらず、それらの設定内容を、電話機毎に変更操作する必要があり、この操作が煩雑であるという問題がある。
【０００９】
本発明は、固定電話機、携帯電話機に関わらず、オンライン中は、電話機能として同じであることが望ましい設定内容を、一括して自動的に統一することができ、また、携帯電話機とファクシミリ装置とを、ユーザが個別に操作し、電話機としての設定内容を統一させる手間を省くことができる携帯電話機と記録装置との設定統一装置および携帯電話機と記録装置との設定統一方法を提供することを目的とするものである。
【課題を解決するための手段】
【００１０】
本発明は、携帯電話機と記録装置との間で送受信が可能であることを検出すると、類似する設定項目について、優先順位の低い装置の設定内容を、上記優先順位の高い装置の設定内容に統一する携帯電話機と記録装置との設定統一装置および設定統一方法である。
【発明の効果】
【００１１】
本発明によれば、固定電話機、携帯電話機に関わらず、オンライン中は、電話機能として同じであることが望ましい設定内容を、一括して自動的に統一することができ、また、携帯電話機とファクシミリ装置とを、ユーザが個別に操作し、電話機としての設定を統一させる手間を省くことができるという効果を奏する。
【発明を実施するための最良の形態】
【００１２】
発明を実施するための最良の形態は、次の実施例である。
【実施例１】
【００１３】
図１は、本発明の実施例１において、携帯電話機１０とファクシミリ装置２０との接続形態を示す構成図である。
【００１４】
携帯電話機１０とファクシミリ装置２０とは、ＵＳＢインタフェースを備えたクレードル３０を介して、接続される。
【００１５】
なお、実施例１では、携帯電話機１０とファクシミリ装置２０とが、ＵＳＢインタフェースを介して送受信しているが、Ｂｌｕｅｔｏｏｔｈ、ＩｒＤＡ等、他のインタフェースを介して送受信するようにしてもよい。
【００１６】
実施例１では、ファクシミリ装置２０をホスト側、携帯電話機１０をスレーブ側とし、ファクシミリ装置２０内のアプリケーションプログラムが携帯電話機１０とファクシミリ装置２０とのデータ送受信を管理するが、データ送受信のホスト／スレーブや、プロトコルについて、上記記載のように限定する必要はない。
【００１７】
また、携帯電話機１０と接続される相手は、ファクシミリ装置２０に限らず、ＭＦＰ等、他の記録装置であってもよい。
【００１８】
図２は、実施例１において、携帯電話機１０とファクシミリ装置２０との設定内容の統一について、「マナーモード」と「リンガーモード」とを例にして説明する図である。
【００１９】
携帯電話機１０は、外出先で利用される機会も多く、「マナーモード」が設定されることが多く、この場合、ユーザが帰宅する等し、充電機能を備えたクレードル３０に設置したときには、着信音が鳴動する「リンガーモード」であることが望ましい。
【００２０】
一方、ファクシミリ装置２０のような固定電話機は、基本的に「リンガーモード」が設定されることが多いが、ユーザが就寝する任意の時間帯においては、携帯電話機１０が「マナーモード」に設定されることが望ましい場合もある。
【００２１】
ところで、ユーザが、携帯電話機１０もファクシミリ装置２０も同じ電話機であると捉えた場合には、ユーザが自宅に居る場合に、「マナーモード」、「リンガーモード」の設定を、携帯電話機１０とファクシミリ装置２０とで、統一して設定したいと考えることがある。
【００２２】
上記のような状況を想定して、実施例１について説明する。
【００２３】
図２に示す「マナーモード」は、一般的に携帯電話機１０で使用されるモード名称である。「マナーモード」に対する携帯電話機１０の具体的な動作設定は特に規定しないが、実施例１において、マナーモードは、着信音ＯＦＦ、留守録有効であると定義し、リンガーモードは、着信音ＯＮ、留守録無効であると定義する。
【００２４】
なお、実施例１では、「マナーモード」と「リンガーモード」とは相関関係にあり、携帯電話機１０とファクシミリ装置２０とは、「マナーモード」、「リンガーモード」のいずれかが常に有効になる仕様を有する。
【００２５】
任意のイベントは、携帯電話機１０またはファクシミリ装置２０に対して発生する任意のイベントであり、その詳細は後述する。
【００２６】
また、実施例１では、設定項目毎に、携帯電話機１０、ファクシミリ装置２０のいずれの装置における設定内容を優先させる（統一する）かを,選択することができる。
【００２７】
実施例１において、携帯電話機１０の設定内容とファクシミリ装置２０の設定内容とを統一させる場所として、一般的にはファクシミリ装置２０のような固定電話機の設置場所を想定するので、主に外出先で利用される携帯電話機１０の設定内容よりも、自宅で利用されるファクシミリ装置２０の設定内容を優先させる。
【００２８】
状態４１は、携帯電話機１０とファクシミリ装置２０とが接続されていないオフライン状態である。つまり、「オフライン状態」は、携帯電話機１０とファクシミリ装置２０とによるデータ送受信が実行不可能状態である。
【００２９】
この状態４１では、携帯電話機１０、ファクシミリ装置２０は、それぞれ別個に動作し、「マナーモード」であるか「リンガーモード」であるかは、それぞれの設定に依存している。たとえば、状態４１は、携帯電話機１０が外出先で利用され、「マナーモード」に設定され、ファクシミリ装置２０が「リンガーモード」に設定されている状態である。
【００３０】
ここで、イベント５１（携帯電話機１０を、クレードル３０に装着するイベント）が発生すると、携帯電話機１０とファクシミリ装置２０とは、相互データ送受信を行なうために、オンライン状態となる。つまり、「オンライン状態」は、携帯電話機１０とファクシミリ装置２０とによるデータ送受信が実行可能状態である。
【００３１】
このときに、携帯電話機１０とファクシミリ装置２０との設定内容を、携帯電話機１０に設定されている「マナーモード」に統一するか、ファクシミリ装置２０に設定されている「リンガーモード」に統一する。この場合、優先順位の高い装置で行われている設定内容と同じ設定内容にするように、優先順位の低い装置の設定内容を変更する（優先順位の高い装置の設定内容に統一する）。
【００３２】
実施例１では、ファクシミリ装置２０が、常に高い優先順位の装置であると規定するようにしているので、状態４１におけるファクシミリ装置２０の「リンガーモード」設定が優先され、携帯電話機１０の設定内容は、「マナーモード」から「リンガーモード」に変更される（状態４２）。
【００３３】
次に、所定時間が経過した後に、イベント５２（ファクシミリ装置２０に予め設定されているオヤスミモードが起動するイベント）が発生する。上記「オヤスミモード」は、深夜等の特定の時刻範囲に、着信音を自動的にＯＦＦにし、留守録を有効にするモードである。実施例１では、上記「オヤスミモード」は、携帯電話機１０における「マナーモード」と類似する設定項目であると規定する。
【００３４】
イベント５２が発生し、ファクシミリ装置２０の設定が、「リンガーモード」から「マナーモード」に移行すると、優先順位の低い携帯電話機１０の設定内容が、ファクシミリ装置２０の設定内容に合わせて、同様に「リンガーモード」から「マナーモード」に変更される（状態４３）。
【００３５】
次に、所定時間が経過した後に、イベント５３（ユーザが意図的に「リンガーモード」に変更するイベント）が発生する。このときに、図２に示す例では、ユーザの意思によって、携帯電話機１０の設定内容である「マナーモード」を解除し、「リンガーモード」に設定内容を変更すると、携帯電話機１０の優先順位が本来は低いが、ユーザの意思による設定の変更があると、携帯電話機１０の設定変更が優先され、ファクシミリ装置２０の設定内容が、携帯電話機１０における変更後における設定内容と同様に、変更される（状態４４）。
【００３６】
次に、所定時間が経過した後に、イベント５４（ユーザが外出するので、携帯電話機１０をクレードル３０から外すイベント）が発生する。携帯電話機１０とファクシミリ装置２０とがオフライン状態であれば、各設定項目は、装置毎に、個別に制御されるが、たとえば、状態４５のように、携帯電話機１０とファクシミリ装置２０とがオンラインになる以前の状態４１に自動的に復帰するようにしてもよい。つまり、携帯電話機１０の設定が「マナーモード」に復帰し、ファクシミリ装置２０の設定が「リンガーモード」のままとなるようにしてもよい。
【００３７】
上記のように、イベントの発生状況に応じて、ファクシミリ装置２０の設定内容を優先させ、また、携帯電話機１０の設定内容を優先させながら、両装置がオンライン状態である間に、設定内容を統一させることによって、ユーザは、両装置における設定内容を個別に設定しなくても、携帯電話機１０とファクシミリ装置２０とにおける互いに類似する設定項目を、同じ設定内容に保つことができる。
【００３８】
なお、図２に示す例では、携帯電話機１０、ファクシミリ装置２０の設定内容は、「リンガーモード」、「マナーモード」であるが、統一すべき対象である設定内容（設定項目）が、音量レベル、着信拒否等であってよい。
【００３９】
次に、携帯電話機１０とファクシミリ装置２０との設定を統一させる動作の詳細について説明する。
【００４０】
まず、携帯電話機１０とファクシミリ装置２０との間では、電話機能に関する設定項目であれば、一般的には、およそ設定の内容とその目的とが互いに類似している。
【００４１】
ただ、詳細において異なる設定項目、一方にしか存在しない設定項目が存在する場合もある。たとえば、一般的な携帯電話機１０には、バイブレーションモードのＯＮ／ＯＦＦがあり、マナーモードに関連付けられることが多いが、一般的なファクシミリ装置２０には、バイブレーションモードが存在せず、マナーモードとの関連付けもない。
【００４２】
図３は、実施例１において、携帯電話機１０とファクシミリ装置２０とが各設定内容を統一させるために必要な設定内容管理テーブルを示す図である。
【００４３】
携帯電話機１０とファクシミリ装置２０との設定内容のうちで、統一の対象とする設定内容を予め定めておく必要がある。実施例１では、携帯電話機１０とファクシミリ装置２０とにおける設定内容を共通に解釈するために、図３に示す設定内容管理テーブルを利用する。
【００４４】
図３（１）は、設定項目毎に、予め定められている携帯電話機１０とファクシミリ装置２０との対応を示す図である。
【００４５】
実施例１では、設定項目の全てについて規定はしないが、留守録設定、着信音、受話レベル、着信拒否を、設定内容管理テーブルの対応項目とする。また、各設定項目のうちで、携帯電話機１０、ファクシミリ装置２０のうちで、どちらの設定を優先させるかを示す内容（優先順位が高いことを示す内容）も、設定内容管理テーブルに含まれている。なお、図３においては、優先順位が高い設定項目を、網点で示してある。
【００４６】
以下、図３（１）に示す設定内容管理テーブルを使用し、設定項目について説明する。
【００４７】
まず、留守録の設定については、携帯電話機１０もファクシミリ装置２０も同一の機能内容であるので、実施例１では、統一の対象とすることができる。この場合、図３（１）では、ファクシミリ装置２０における設定内容を優先させる。
【００４８】
着信音の設定については、携帯電話機１０の設定内容を優先させる。ファクシミリ装置２０は、記録制御機能を備え、記録制御の静粛印字モードをＯＮ／ＯＦＦに設定することができる場合、この記録制御における静粛印字モードを、着信音の設定に連動させるようにしてもよい。この場合、携帯電話機１０が優先される着信音の設定内容に関し、統一処理中に携帯電話機１０の着信音がＯＦＦに設定されていれば、ファクシミリ装置２０の着信音も同様にＯＦＦに設定するが、これに加えてファクシミリ装置２０のみが所有する静粛印字モードをＯＮに設定し静かなプリント動作を実行するようにしてもよい。つまり、ファクシミリ装置２０の着信音がＯＦＦに設定されているので、印刷する動作も静かなモードを設定する。
【００４９】
これと同様に、図３（１）に示す例では、受話レベルや着信拒否設定等の統一の対象となる設定項目や優先順位、その他、連動させる別機能項目とが規定されている。
【００５０】
なお、たとえば、受話レベルの設定内容に関して、携帯電話機１０には、１０レベルの設定値が仕様として定められ、ファクシミリ装置２０には、５レベルの設定値が仕様として定められている場合、相対的に同様の設定値となるように計算し、統一するようにしてもよい。つまり、上記仕様において、優先順位の高いファクシミリ装置２０の受話レベルがたとえば４であれば、携帯電話機１０の受話レベルが、比例按分で、８であると解釈される。
【００５１】
なお、図３（１）に示す設定項目の優先順位を後で変更することができる。たとえば、図２に示すイベント５３のように、ユーザが手動で設定した設定項目については、それを優先するように変更するようにしてもよく、この場合、図３（１）に示すデフォルトでは、留守録設定について、ファクシミリ装置２０の設定内容を優先させているが、ユーザが手動で携帯電話機１０の留守録設定を変更すると、図３（２）に示すように、携帯電話機１０の優先順位を高くするように、テーブルを変更するようにしてもよい。
【００５２】
なお、統一の対象とする設定項目を、ユーザが任意に選択するようにしてもよい。たとえば、留守録設定を統一させるが、着信音は統一させないという設定を、ユーザが実行するようにしてもよい。
【００５３】
また、携帯電話機１０、ファクシミリ装置２０のいずれかにしか存在しない設定項目は、統一の対象としなくてもよい。
【００５４】
図４は、実施例１において、携帯電話機１０とファクシミリ装置２０との間で、任意の設定内容を統一させる手順を示すフローチャートである。
【００５５】
まず、Ｓ１では、携帯電話機１０とファクシミリ装置２０との接続を監視する接続検知が行なわれる。実施例１では、携帯電話機１０とファクシミリ装置２０との接続監視に関する処理について限定する必要はなく、実施例１において、ＵＳＢインタフェースから携帯電話機１０の接続を検知する接続検知部を、ファクシミリ装置２０側に設け、ファクシミリ装置２０が定期的に接続を監視する。
【００５６】
携帯電話機１０とファクシミリ装置２０との接続が検知されると（Ｓ１）、オンライン状態へ移行する手続きが行なわれる。
【００５７】
Ｓ２では、携帯電話機１０、ファクシミリ装置２０のそれぞれについて、現在の設定項目毎の設定内容と、設定項目毎の優先順位（類似する設定項目に関して、どちらの装置における設定内容を優先して、設定内容を統一するかを決める順序）とを、任意の記憶エリアに記憶する。なお、実施例１では、携帯電話機１０、ファクシミリ装置２０の各設定項目、優先順位とを記憶する場所を特に限定していないが、たとえば、各設定項目については、各装置の任意のＲＡＭ領域に記憶させ、項目毎の優先順位に関する設定については、統一を管理するホスト側、たとえばファクシミリ装置２０のＲＡＭ領域に記憶するようにしてもよい。
【００５８】
なお、Ｓ２で記憶する各設定内容は、後で再びオフライン状態へ移行した際に、前回のオフライン状態と同様な設定内容を復元させるために使用されるので、そのような仕様でなければ、Ｓ２において、現在の設定項目毎の設定内容を記憶する処理を省略するようにしてもよい。
【００５９】
オンライン中にユーザが任意に設定を変更することによって、優先順位が変更された後に、オフライン状態になったときに、上記優先順位を復元させるために、Ｓ２で予め上記優先順位を記憶するが、このように優先順位を復元しないのであれば、Ｓ２において、設定項目毎の優先順位を記憶しなくてもよい。
【００６０】
次に、Ｓ３では、携帯電話機１０とファクシミリ装置２０との間で、設定内容統一処理が行なわれる。設定内容統一処理（Ｓ３）は、図３に示すテーブルのルールに従って行なわれるが、その詳細を、図５について後述する。
【００６１】
設定内容統一処理が行なわれ（Ｓ３）、携帯電話機１０、ファクシミリ装置２０について任意の設定内容が統一されると、Ｓ４では、オンライン状態が継続されているかどうかを監視する。
【００６２】
接続が検知されなければ（Ｓ４）、オフライン状態に移行したといえるので、Ｓ５では、Ｓ２で記憶した状態に、設定内容を戻す。ここで、上記のように、仕様によっては、Ｓ５の処理が省略される。
【００６３】
Ｓ４で接続が検知された後に、Ｓ６では、各装置の設定項目に変更があったか否かを調べる。携帯電話機１０、ファクシミリ装置２０の両者における設定内容に変更がなければ（Ｓ６）、接続検知を再び行なう（Ｓ４）。つまり、実施例１において、図４に示すフローチャートでは、一度オフライン状態からオンライン状態に移行し、任意の設定内容が統一された後は、次回に設定内容統一対象となる設定項目の設定内容が変更されない限り、設定内容統一処理は、実行されず、オンライン状態の監視と設定変更の監視とのみが実行される。
【００６４】
なお、実施例１において、Ｓ４、Ｓ６の検知タイミングを、特に限定しない。
【００６５】
Ｓ６では、携帯電話機１０、ファクシミリ装置２０のどちらかで、設定内容統一対象となる設定項目が変更されたことを検知すると、Ｓ７で、設定内容の変更理由を判別する。
【００６６】
設定内容の変更理由が、たとえば、図２に示す「オヤスミモード」のように、時間経過によっていずれかの装置の設定が、自動的に変更された自動変更であれば、そのままＳ３で、設定内容統一処理が行なわれる。
【００６７】
したがって、図４に示すフローチャートによると、優先順位の低い装置の設定内容が自動的に変更されたとしても、Ｓ３における設定内容統一処理にいて、優先順位の高い設定内容に再び変更されるので、実動作としては、優先順位の低い装置における設定内容の自動変更は、無効である。
【００６８】
設定内容の変更が手動で行なわれたと判別されると（Ｓ６）、Ｓ８で、設定内容の統一の優先順位を変更する。実施例１では、手動で変更された設定項目については、優先順位を常に高くするので、Ｓ８で変更された設定内容の統一の優先順位が変更され、その後の設定内容統一処理（Ｓ３）に反映される。したがって、図４に示すフローチャートによれば、優先順位の設定に関わらず、手動で変更された設定項目については、最優先で統一処理が行なわれる。
【００６９】
なお、ここで変更された優先順位は、オンライン中のみ有効であるので、オフラインになれば、Ｓ５で設定内容統一の優先順位が変更されていたとしても、オンラインになる以前の状態に戻される。したがって、手動で変更された設定内容は、最優先の扱いを受けるが、オンライン中にのみ最優先の扱いを受けるだけである。
【００７０】
なお、実施例１では、携帯電話機１０とファクシミリ装置２０との統一処理を実行し、Ｓ２、Ｓ５、Ｓ６、Ｓ７、Ｓ８の処理は必須ではない。また、Ｓ４、Ｓ６のような検知タイミングは、図４に示す動作以外の動作であってもよい。
【００７１】
上記のように、携帯電話機１０とファクシミリ装置２０とは、予め定められた優先順位と統一対象項目に従って、オンライン状態時に統一処理を行なう。
【００７２】
また、オフライン状態からオンライン状態へ移行するときに、携帯電話機１０、ファクシミリ装置２０のそれぞれの設定を記憶し、次回オンライン状態からオフライン状態へ移行したときに、前回のオフライン状態の設定内容を復元するようにしてもよい。
【００７３】
図５は、実施例１において、携帯電話機１０とファクシミリ装置２０との任意の設定項目について、設定内容を統一する処理を示すフローチャートである。
【００７４】
Ｓ１１では、図３で説明した統一対象の設定項目を比較する。
【００７５】
続けて、Ｓ１２では、優先順位の低い装置における設定内容を、優先順位の高い装置における設定内容に変更する。たとえば、留守録設定項目に関して、優先順位の高い装置側の留守録設定がＯＮであれば、優先順位の低い装置の留守録設定項目の内容もＯＮに統一される。
【００７６】
なお、携帯電話機１０とファクシミリ装置２０とにおいて設定内容を変更する手段について限定する必要はなく、たとえば、任意の設定項目の設定内容が格納されているＲＡＭ領域を書き換えることによって、設定内容を変更するようにしてもよく、また、各端末内のＲＡＭ領域を変更させるために、装置間のコマンドを策定し、コマンドを受信した端末が、その内容に従って、自己のＲＡＭ領域を書き換えるようにしてもよい。
【００７７】
任意の設定項目について、設定内容を統一させると（Ｓ１２）、Ｓ１３では、さらに統一するべき設定項目が残っているかどうかを判別する。統一すべき設定項目が、まだ存在すれば、Ｓ１１、Ｓ１２を再び実行し、Ｓ１３で全ての設定項目について統一処理が終了していれば、一連の統一処理を終了する。
【００７８】
上記実施例によれば、固定電話機、携帯電話機１０に関わらず、オンライン中は、電話機能として同じ設定内容にすることが望ましい設定を、一括して自動的に統一させる（同じ設定内容に変更させる）ことができ、また、携帯電話機１０とファクシミリ装置２０とをオンライン状態からオフライン状態へ移行したときに、前回のオフライン状態における設定内容に復元するので、携帯電話機１０とファクシミリ装置２０とを、ユーザが個別に操作して電話としての設定内容を合わせる手間を省くことができる。
【００７９】
つまり、ファクシミリ装置２０は、上記携帯電話機と上記記録装置との間で、所定の通信方法によってデータを送受信するデータ送受信手段と、上記データ送受信手段が送受信を実行可能であるか否かを検出する検出手段と、上記携帯電話機の設定項目と上記記録装置の設定項目とのうちで、互いに類似する設定項目を、互いに関連付けて管理する設定項目管理手段と、携帯電話機の設定内容と記録装置の設定内容とを統一する場合に、設定内容を統一する優先順位を管理する統一優先順位管理手段と、上記データ送受信手段が送受信を実行可能であることを上記検出手段が検出すると、上記設定項目管理手段が管理している上記類似する設定項目について、上記統一優先順位管理手段に従って、上記優先順位の低い装置の設定内容を、上記優先順位の高い装置の設定内容に統一する設定内容統一手段とを有する。
【図面の簡単な説明】
【００８０】
【図１】本発明の実施例１において、携帯電話機１０とファクシミリ装置２０との接続形態を示す構成図である。
【図２】実施例１において、携帯電話機１０とファクシミリ装置２０との設定内容の統一について、「マナーモード」と「リンガーモード」とを例にとって説明する図である。
【図３】実施例１において、携帯電話機１０とファクシミリ装置２０とが各設定内容を統一させるために必要な設定内容管理テーブルを示す図である。
【図４】実施例１において、携帯電話機１０とファクシミリ装置２０との間で、任意の設定内容を統一させる手順を示すフローチャートである。
【図５】実施例１において、携帯電話機１０とファクシミリ装置２０との任意の設定項目について、設定内容を統一する処理を示すフローチャートである。
【符号の説明】
【００８１】
１０…携帯電話機、
２０…ファクシミリ装置、
３０…クレードル。
【図１】
2006050261.tif 000003
【図２】
2006050261.tif 000004
【図３】
2006050261.tif 000005
【図４】
2006050261.tif 000006
【図５】
2006050261.tif 000007